(57)【特許請求の範囲】
【請求項１】
画像サーバが、画像ファイルを記録するとともに画像ファイルよりもファイルサイズが小さい評価用画像ファイルを作成し、評価用画像ファイルをウェブサーバへ送信し、
次いで、ウェブサーバが、評価用画像ファイルを記録し、評価用画像ファイルを利用して画像評価用画面を作成して画像評価装置へ送信し、
次いで、画像評価装置が、画像評価用画面を表示装置に表示し、顧客が入力した評価情報を画像サーバへ送信し、
次いで、画像サーバが、評価情報が可であれば、次工程へ画像ファイルを送信または次工程作業用画像ファイルを作成して送信し、評価情報が不可であれば、評価情報を撮影ディレクター確認装置へ送信することを特徴とするカタログ写真撮影方法。
【請求項２】
撮影画像確認装置が、デジタルカメラで撮影された画像ファイルを記録し、画像ファイルを表示装置に表示し、選択された画像ファイルを画像サーバへ送信し、
次いで、画像サーバが、画像ファイルを記録するとともに画像ファイルよりもファイルサイズが小さい評価用画像ファイルを作成し、評価用画像ファイルをウェブサーバへ送信し、
次いで、ウェブサーバが評価用画像ファイルを記録し、評価用画像ファイルを利用して画像評価用画面を作成して画像評価装置へ送信し、
次いで、画像評価装置が、画像評価用画面を表示装置に表示し、顧客が入力した評価情報を画像サーバへ送信し、
次いで、画像サーバが、評価情報が可であれば、次工程へ画像ファイルを送信または次工程作業用画像ファイルを作成して送信し、評価情報が不可であれば、評価情報を撮影ディレクター確認装置へ送信することを特徴とするカタログ写真撮影方法。
【請求項３】
画像サーバが、画像ファイルを記録するとともに画像ファイルよりもファイルサイズが小さい評価用画像ファイルを作成し、評価用画像ファイルを利用して画像評価用画面を作成し画像評価装置へ送信し、
次いで、画像評価装置が、画像評価用画面を表示装置に表示し、顧客が入力した評価情報を画像サーバへ送信し、
次いで、画像サーバが、評価情報が可であれば、次工程へ画像ファイルを送信または次工程作業用画像ファイルを作成して送信し、評価情報が不可であれば、評価情報を撮影ディレクター確認装置へ送信することを特徴とするカタログ写真撮影方法。
【請求項４】
撮影画像確認装置が、デジタルカメラで撮影された画像ファイルを記録し、画像ファイルを表示装置に表示し、選択された画像ファイルを画像サーバへ送信し、
次いで、画像サーバが、画像ファイルを記録するとともに画像ファイルよりもファイルサイズが小さい評価用画像ファイルを作成し、評価用画像ファイルを利用して画像評価用画面を作成し画像評価装置へ送信し、
次いで、画像評価装置が、画像評価用画面を表示装置に表示し、顧客が入力した評価情報を画像サーバへ送信し、
次いで、画像サーバが、評価情報が可であれば、次工程へ画像ファイルを送信または次工程作業用画像ファイルを作成して送信し、評価情報が不可であれば、評価情報を撮影ディレクター確認装置へ送信することを特徴とするカタログ写真撮影方法。
【請求項５】
評価情報が、文字データ、画像データ、音声データまたは動画データの少なくとも１つからなるものである請求項１〜４のいずれかに記載のカタログ写真撮影方法。
【請求項６】
撮影ディレクター確認装置の表示装置に評価情報とともに評価用画像ファイルを表示する請求項１〜４のいずれかに記載のカタログ写真撮影方法。
【請求項７】
画像サーバが、複数の撮影画像確認装置から転送された画像ファイルを記録する請求項１〜４のいずれかに記載のカタログ写真撮影方法。
【請求項８】
撮影画像確認装置が画像サーバと同一のコンピュータによって動作するように構成された請求項１〜４のいずれかに記載のカタログ写真撮影方法。
【請求項９】
撮影ディレクター確認装置が画像サーバと同一のコンピュータによって動作するように構成された請求項１〜４のいずれかに記載のカタログ写真撮影方法。
【請求項１０】
撮影ディレクター確認装置が撮影画像確認装置と同一のコンピュータによって動作するように構成された請求項１〜４のいずれかに記載のカタログ写真撮影方法。
【請求項１１】
画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、
評価用画像ファイルを記録し、評価用画像ファイルを利用して画像評価用画面を作成するウェブサーバと、
画像評価用画面を受信して表示し、顧客が入力した評価情報を画像サーバへ送信する画像評価装置と
を少なくとも備えていることを特徴とするカタログ写真撮影システム。
【請求項１２】
デジタルカメラで撮影された画像ファイルを記録し、画像ファイルを表示し、選択された画像ファイルを画像サーバへ送信する撮影画像確認装置と、
画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、
評価用画像ファイルを記録し、評価用画像ファイルを利用して画像評価用画面を作成するウェブサーバと、
画像評価用画面を受信して表示し、顧客が入力した評価情報を画像サーバへ送信する画像評価装置と
を少なくとも備えていることを特徴とするカタログ写真撮影システム。
【請求項１３】
画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、
画像評価用画面を受信して表示し、顧客が入力した評価情報を画像サーバへ送信する画像評価装置と
を少なくとも備えていることを特徴とするカタログ写真撮影システム。
【請求項１４】
デジタルカメラで撮影された画像ファイルを記録し、画像ファイルを表示し、選択された画像ファイルを画像サーバへ送信する撮影画像確認装置と、
画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、
画像評価用画面を受信して表示し、顧客が入力した評価情報を画像サーバへ送信する画像評価装置と
を少なくとも備えていることを特徴とするカタログ写真撮影システム。
【請求項１５】
画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する機能を有することを特徴とするカタログ写真撮影システム用画像サーバ。
【請求項１６】
画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する機能を有することを特徴とするカタログ写真撮影システム用画像サーバ。
【請求項１７】
画像ファイルよりもファイルサイズが小さい評価用画像ファイルを利用して作成された画像評価用画面を受信して表示し、評価結果が不可であれば撮影ディレクター確認装置へ送信されることとなる顧客が入力した評価情報を画像サーバへ送信する機能を有することを特徴とするカタログ写真撮影システム用画像評価装置。
【請求項１８】
画像サーバが、画像ファイルを記録するとともに画像ファイルよりもファイルサイズが小さい評価用画像ファイルを作成し、評価用画像ファイルをウェブサーバへ送信するステップと、
ウェブサーバが、評価用画像ファイルを記録し、評価用画像ファイルを利用して画像評価用画面を作成して画像評価装置へ送信するステップと、
画像評価装置が、画像評価用画面を表示装置に表示し、顧客が入力した評価情報を画像サーバへ送信するステップと、
画像サーバが、評価情報が可であれば、次工程へ画像ファイルを送信または次工程作業用画像ファイルを作成して送信し、評価情報が不可であれば、評価情報を撮影ディレクター確認装置へ送信するステップと
を少なくとも備えていることを特徴とするカタログ写真撮影プログラム。
【請求項１９】
撮影画像確認装置が、デジタルカメラで撮影された画像ファイルを記録し、画像ファイルを表示装置に表示し、選択された画像ファイルを画像サーバへ送信するステップと、
画像サーバが、画像ファイルを記録するとともに画像ファイルよりもファイルサイズが小さい評価用画像ファイルを作成し、評価用画像ファイルをウェブサーバへ送信するステップと、
ウェブサーバが評価用画像ファイルを記録し、評価用画像ファイルを利用して画像評価用画面を作成して画像評価装置へ送信するステップと、
画像評価装置が、画像評価用画面を表示装置に表示し、顧客が入力した評価情報を画像サーバへ送信するステップと、
画像サーバが、評価情報が可であれば、次工程へ画像ファイルを送信または次工程作業用画像ファイルを作成して送信し、評価情報が不可であれば、評価情報を撮影ディレクター確認装置へ送信するステップと
を少なくとも備えていることを特徴とするカタログ写真撮影プログラム。
【請求項２０】
画像サーバが、画像ファイルを記録するとともに画像ファイルよりもファイルサイズが小さい評価用画像ファイルを作成し、評価用画像ファイルを利用して画像評価用画面を作成し画像評価装置へ送信するステップと、
画像評価装置が、画像評価用画面を表示装置に表示し、顧客が入力した評価情報を画像サーバへ送信するステップと、
画像サーバが、評価情報が可であれば、次工程へ画像ファイルを送信または次工程作業用画像ファイルを作成して送信し、評価情報が不可であれば、評価情報を撮影ディレクター確認装置へ送信するステップと
を少なくとも備えていることを特徴とするカタログ写真撮影プログラム。
【請求項２１】
撮影画像確認装置が、デジタルカメラで撮影された画像ファイルを記録し、画像ファイルを表示装置に表示し、選択された画像ファイルを画像サーバへ送信するステップと、
画像サーバが、画像ファイルを記録するとともに画像ファイルよりもファイルサイズが小さい評価用画像ファイルを作成し、評価用画像ファイルを利用して画像評価用画面を作成し画像評価装置へ送信するステップと、
画像評価装置が、画像評価用画面を表示装置に表示し、顧客が入力した評価情報を画像サーバへ送信するステップと、
画像サーバが、評価情報が可であれば、次工程へ画像ファイルを送信または次工程作業用画像ファイルを作成して送信し、評価情報が不可であれば、評価情報を撮影ディレクター確認装置へ送信するステップと
を少なくとも備えていることを特徴とするカタログ写真撮影プログラム。
【発明の詳細な説明】
【０００１】
【発明の属する技術分野】
本発明は、商品カタログなどの写真撮影についてのカタログ写真撮影方法、カタログ写真撮影システム、カタログ写真撮影プログラム、カタログ写真撮影システム用画像サーバ、カタログ写真撮影システム用画像評価装置に関する。
【０００２】
【従来の技術】
商品カタログの制作は、カタログに掲載する商品の決定、カタログの編集方針の決定、カタログに掲載する商品写真の撮影、ＤＴＰ工程、製版工程、印刷工程の順に行われるのが通常である。
【０００３】
カタログに掲載する商品写真の撮影は、写真撮影スタジオにおいて、カタログの編集方針にしたがって、撮影セットを組み立てた上で商品を１点づつ撮影する。撮影工程では、撮影スタッフの他、カタログ制作者である顧客のスタッフも立ち会うのが通常である。これは、商品写真が顧客の意図に合致したものであるかどうか確認する必要があるからである。
【０００４】
写真の撮影は、従来、銀塩カメラで行われていた。銀塩カメラで撮影した場合、フィルムが現像されるまで写真の確認ができないため、通常、インスタント写真による撮影を先に行い、問題のないことを確認した後に、同一の撮影条件でフィルムを用いて撮影が行われていた。このような撮影方法は、インスタント写真による撮影コストがかさむ上、フィルムの現像が終了した後に、フィルムの画像を再度確認しなければならないため、時間がかかる方法であった。
【０００５】
定期的に発行される商品カタログにおいては、撮影工程の時間短縮が実現できれば、カタログに掲載する商品の決定をカタログ発行時期により近づけることができ、より流行に合致した品揃えをカタログ上で実現することが可能となるが、前記銀塩カメラによる撮影方式では、この要求に応えられなかった。
【０００６】
そこで、最近は、デジタルカメラを用いて撮影する方法が用いられている。デジタルカメラを用いて撮影した場合、撮影した画像ファイルをコンピュータのモニタに表示させることによって、即座に確認できるため、撮影工程の時間短縮に結びつく可能性があるという利点がある。
【０００７】
【発明が解決しようとする課題】
しかし、デジタルカメラを用いたとしても、商品写真を顧客の意図に合致したものにするためには、顧客側のスタッフの立会が必要であり、そのためには、顧客と撮影スタジオとの日程調整を行わなければならず、また、顧客と撮影スタジオとが地理的に遠く離れている場合は、立会そのものが手間のかかるものであった。
【０００８】
また、顧客の立会は、撮影時間中、ずっと拘束されるので負担が大きいものであった。さらに、立会をしたとしても、その場で判断できず、持ち帰って別人の判断を得なければならない場合には、撮影スタジオ側の作業はストップしたままになるという問題点があった。
【０００９】
仮に、再撮影という判断になった場合、撮影スタジオでは、再度、撮影セットの組み立てなど撮影の準備を行うという手間がかかり、さらに時間がかかることになる。
【００１０】
このように、顧客の立会は、撮影された写真について顧客側の最終的な確認を得るのに時間がかかり、つまりカタログ写真撮影工程の時間短縮に至らず、その結果、ＤＴＰ工程などの次工程に写真データを送ることがなかなかできず、カタログ制作の期間短縮が困難であるという問題があった。
【００１１】
そこで、本発明は、顧客の確認を容易に得ることができるようにすることでカタログ写真撮影工程の時間短縮を図ることができるカタログ写真撮影方法、カタログ写真撮影システム、カタログ写真撮影プログラム、カタログ写真撮影システム用画像サーバ、カタログ写真撮影システム用画像評価装置を提供することを目的とする。
【００１２】
【課題を解決するための手段】
本発明は、上記目的を達成するため、以下のように構成している。
【００１３】
本発明の第１態様によれば、画像サーバが、画像ファイルを記録するとともに画像ファイルよりもファイルサイズが小さい評価用画像ファイルを作成し、評価用画像ファイルをウェブサーバへ送信し、次いで、ウェブサーバが、評価用画像ファイルを記録し、評価用画像ファイルを利用して画像評価用画面を作成して画像評価装置へ送信し、次いで、画像評価装置が、画像評価用画面を表示装置に表示し、顧客が入力した評価情報を画像サーバへ送信し、次いで、画像サーバが、評価情報が可であれば、次工程へ画像ファイルを送信または次工程作業用画像ファイルを作成して送信し、評価情報が不可であれば、評価情報を撮影ディレクター確認装置へ送信するカタログ写真撮影方法を提供する。
【００１４】
本発明の第２態様によれば、撮影画像確認装置が、デジタルカメラで撮影された画像ファイルを記録し、画像ファイルを表示装置に表示し、選択された画像ファイルを画像サーバへ送信し、次いで、画像サーバが、画像ファイルを記録するとともに画像ファイルよりもファイルサイズが小さい評価用画像ファイルを作成し、評価用画像ファイルをウェブサーバへ送信し、次いで、ウェブサーバが評価用画像ファイルを記録し、評価用画像ファイルを利用して画像評価用画面を作成して画像評価装置へ送信し、次いで、画像評価装置が、画像評価用画面を表示装置に表示し、顧客が入力した評価情報を画像サーバへ送信し、次いで、画像サーバが、評価情報が可であれば、次工程へ画像ファイルを送信または次工程作業用画像ファイルを作成して送信し、評価情報が不可であれば、評価情報を撮影ディレクター確認装置へ送信するカタログ写真撮影方法を提供する。
【００１５】
本発明の第３態様によれば、画像サーバが、画像ファイルを記録するとともに画像ファイルよりもファイルサイズが小さい評価用画像ファイルを作成し、評価用画像ファイルを利用して画像評価用画面を作成し画像評価装置へ送信し、次いで、画像評価装置が、画像評価用画面を表示装置に表示し、顧客が入力した評価情報を画像サーバへ送信し、次いで、画像サーバが、評価情報が可であれば、次工程へ画像ファイルを送信または次工程作業用画像ファイルを作成して送信し、評価情報が不可であれば、評価情報を撮影ディレクター確認装置へ送信するカタログ写真撮影方法を提供する。
【００１６】
本発明の第４態様によれば、撮影画像確認装置が、デジタルカメラで撮影された画像ファイルを記録し、画像ファイルを表示装置に表示し、選択された画像ファイルを画像サーバへ送信し、次いで、画像サーバが、画像ファイルを記録するとともに画像ファイルよりもファイルサイズが小さい評価用画像ファイルを作成し、評価用画像ファイルを利用して画像評価用画面を作成し画像評価装置へ送信し、次いで、画像評価装置が、画像評価用画面を表示装置に表示し、顧客が入力した評価情報を画像サーバへ送信し、次いで、画像サーバが、評価情報が可であれば、次工程へ画像ファイルを送信または次工程作業用画像ファイルを作成して送信し、評価情報が不可であれば、評価情報を撮影ディレクター確認装置へ送信するカタログ写真撮影方法を提供する。
【００１７】
本発明の第５態様によれば、評価情報が、文字データ、画像データ、音声データまたは動画データの少なくとも１つからなるものである第１〜４のいずれか１つの態様に記載のカタログ写真撮影方法を提供する。
【００１８】
本発明の第６態様によれば、撮影ディレクター確認装置の表示装置に評価情報とともに評価用画像ファイルを表示する第１〜４のいずれか１つの態様に記載のカタログ写真撮影方法を提供する。
【００１９】
本発明の第７態様によれば、画像サーバが、複数の撮影画像確認装置から転送された画像ファイルを記録する第１〜４のいずれか１つの態様に記載のカタログ写真撮影方法を提供する。
【００２０】
本発明の第８態様によれば、撮影画像確認装置が画像サーバと同一のコンピュータによって動作する第１〜４のいずれか１つの態様に記載のカタログ写真撮影方法を提供する。
【００２１】
本発明の第９態様によれば、撮影ディレクター確認装置が画像サーバと同一のコンピュータによって動作する第１〜４のいずれか１つの態様に記載のカタログ写真撮影方法を提供する。
【００２２】
本発明の第１０態様によれば、撮影ディレクター確認装置が撮影画像確認装置と同一のコンピュータによって動作する第１〜４のいずれか１つの態様に記載のカタログ写真撮影方法を提供する。
【００２３】
本発明の第１１態様によれば、画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、評価用画像ファイルを記録し、評価用画像ファイルを利用して画像評価用画面を作成するウェブサーバと、画像評価用画面を受信して表示し、顧客が入力した評価情報を画像サーバへ送信する画像評価装置とを少なくとも備えているカタログ写真撮影システムを提供する。
【００２４】
本発明の第１２態様によれば、デジタルカメラで撮影された画像ファイルを記録し、画像ファイルを表示し、選択された画像ファイルを画像サーバへ送信する撮影画像確認装置と、画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、評価用画像ファイルを記録し、評価用画像ファイルを利用して画像評価用画面を作成するウェブサーバと、画像評価用画面を受信して表示し、顧客が入力した評価情報を画像サーバへ送信する画像評価装置とを少なくとも備えているカタログ写真撮影システムを提供する。
【００２５】
本発明の第１３態様によれば、画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、画像評価用画面を受信して表示し、顧客が入力した評価情報を画像サーバへ送信する画像評価装置とを少なくとも備えているカタログ写真撮影システムを提供する。
【００２６】
本発明の第１４態様によれば、デジタルカメラで撮影された画像ファイルを記録し、画像ファイルを表示し、選択された画像ファイルを画像サーバへ送信する撮影画像確認装置と、画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、画像評価用画面を受信して表示し、顧客が入力した評価情報を画像サーバへ送信する画像評価装置とを少なくとも備えているカタログ写真撮影システムを提供する。
【００２７】
本発明の第１５態様によれば、画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する機能を有するカタログ写真撮影システム用画像サーバを提供する。
【００２８】
本発明の第１６態様によれば、画像ファイルを記録するとともに画像ファイルよりもファイルサイズが小さい評価用画像ファイルを作成し、評価用画像ファイルを利用して画像評価用画面を作成し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する機能を有するカタログ写真撮影システム用画像サーバを提供する。
【００２９】
本発明の第１７態様によれば、画像ファイルよりもファイルサイズが小さい評価用画像ファイルを利用して作成された画像評価用画面を受信して表示し、評価結果が不可であれば撮影ディレクター確認装置へ送信されることとなる顧客が入力した評価情報を画像サーバへ送信する機能を有するカタログ写真撮影システム用画像評価装置を提供する。
【００３０】
本発明の第１８態様によれば、画像サーバが、画像ファイルを記録するとともに画像ファイルよりもファイルサイズが小さい評価用画像ファイルを作成し、評価用画像ファイルをウェブサーバへ送信するステップと、ウェブサーバが、評価用画像ファイルを記録し、評価用画像ファイルを利用して画像評価用画面を作成して画像評価装置へ送信するステップと、画像評価装置が、画像評価用画面を表示装置に表示し、顧客が入力した評価情報を画像サーバへ送信するステップと、画像サーバが、評価情報が可であれば、次工程へ画像ファイルを送信または次工程作業用画像ファイルを作成して送信し、評価情報が不可であれば、評価情報を撮影ディレクター確認装置へ送信するステップとを少なくとも備えているカタログ写真撮影プログラムを提供する。
【００３１】
本発明の第１９態様によれば、撮影画像確認装置が、デジタルカメラで撮影された画像ファイルを記録し、画像ファイルを表示装置に表示し、選択された画像ファイルを画像サーバへ送信するステップと、画像サーバが、画像ファイルを記録するとともに画像ファイルよりもファイルサイズが小さい評価用画像ファイルを作成し、評価用画像ファイルをウェブサーバへ送信するステップと、ウェブサーバが評価用画像ファイルを記録し、評価用画像ファイルを利用して画像評価用画面を作成して画像評価装置へ送信するステップと、画像評価装置が、画像評価用画面を表示装置に表示し、顧客が入力した評価情報を画像サーバへ送信するステップと、画像サーバが、評価情報が可であれば、次工程へ画像ファイルを送信または次工程作業用画像ファイルを作成して送信し、評価情報が不可であれば、評価情報を撮影ディレクター確認装置へ送信するステップとを少なくとも備えているカタログ写真撮影プログラムを提供する。
【００３２】
本発明の第２０態様によれば、画像サーバが、画像ファイルを記録するとともに画像ファイルよりもファイルサイズが小さい評価用画像ファイルを作成し、評価用画像ファイルを利用して画像評価用画面を作成し画像評価装置へ送信するステップと、画像評価装置が、画像評価用画面を表示装置に表示し、顧客が入力した評価情報を画像サーバへ送信するステップと、画像サーバが、評価情報が可であれば、次工程へ画像ファイルを送信または次工程作業用画像ファイルを作成して送信し、評価情報が不可であれば、評価情報を撮影ディレクター確認装置へ送信するステップとを少なくとも備えているカタログ写真撮影プログラムを提供する。
【００３３】
本発明の第２１態様によれば、撮影画像確認装置が、デジタルカメラで撮影された画像ファイルを記録し、画像ファイルを表示装置に表示し、選択された画像ファイルを画像サーバへ送信するステップと、画像サーバが、画像ファイルを記録するとともに画像ファイルよりもファイルサイズが小さい評価用画像ファイルを作成し、評価用画像ファイルを利用して画像評価用画面を作成し画像評価装置へ送信するステップと、画像評価装置が、画像評価用画面を表示装置に表示し、顧客が入力した評価情報を画像サーバへ送信するステップと、画像サーバが、評価情報が可であれば、次工程へ画像ファイルを送信または次工程作業用画像ファイルを作成して送信し、評価情報が不可であれば、評価情報を撮影ディレクター確認装置へ送信するステップとを少なくとも備えているカタログ写真撮影プログラムを提供する。
【００３４】
【発明の実施の形態】
図面を参照しながら本発明の実施の形態について詳しく説明する。
【００３５】
図１は、本発明のカタログ写真撮影システムの概念の一実施例を示す模式図である。図２〜３は、本発明のカタログ写真撮影プログラムの動作を示すフローチャートである。図４〜５は、本発明に用いられる撮影画像確認装置の表示装置に表示される画面の一実施例を示す平面図である。図６は、本発明のカタログ写真撮影方法で用いられるデータの一実施例を示す概念図である。図７〜８は、本発明に用いられる画像評価装置の表示装置に表示される画像評価用画面の一実施例を示す平面図である。図９は、本発明のカタログ写真撮影方法で用いられるデータの一実施例を示す概念図である。図１０は、本発明の撮影ディレクター確認装置の表示装置に表示される画面の一実施例を示す平面図である。図中、１はデジタルカメラ、２は撮影画像確認装置、３は画像サーバ、４はウェブサーバ、５は画像評価装置、６は撮影ディレクター確認装置、７はネットワークである。
【００３６】
ここでは、本発明のカタログ写真撮影システムが商品カタログ撮影の場面で使用される場合を例にして説明する。
【００３７】
本発明のカタログ写真撮影システムは、デジタルカメラ１で撮影された画像ファイルを記録し、画像ファイルを表示し、選択された画像ファイルを画像サーバ３へ送信する撮影画像確認装置２と、画像ファイルを記録するとともに画像ファイルよりもファイルサイズが小さい評価用画像ファイルを作成し、評価用画像ファイルをウェブサーバ４へ送信し、画像評価装置５から受信した評価情報が可であれば、次工程へ画像ファイルを送信または次工程作業用画像ファイルを作成して送信し、評価情報が不可であれば、評価情報を撮影ディレクター確認装置６へ送信する画像サーバ３と、評価用画像ファイルを記録し、評価用画像ファイルを利用して画像評価用画面を作成するウェブサーバ４と、画像評価用画面を受信して表示し、顧客が入力した評価情報を画像サーバ３へ送信する画像評価装置５とを備えるものである（図１参照）。
【００３８】
デジタルカメラ１は、商品を撮影し、商品写真の画像ファイルを作成するものである。デジタルカメラ１としては、カタログ制作に十分な品質の画像ファイルを作成できるものを用いるとよい。
【００３９】
撮影画像確認装置２は、デジタルカメラ１で撮影された画像ファイルを記録し、画像ファイルを表示し、選択された画像ファイルを画像サーバ３へ送信するものである。撮影画像確認装置２としては、中央処理装置、入力装置、表示装置、記憶装置などから構成されるものを用いるとよい。入力装置、表示装置、記憶装置はそれぞれ中央処理装置に接続され、中央処理装置によってその動作が制御される。
【００４０】
中央処理装置は、ＣＰＵなどから構成するとよい。入力装置としては、キーボード、マウスなどを用いることができる。表示装置としては、画像ファイルの表示に適したＣＲＴ、ＬＣＤなどを用いるとよい。
【００４１】
記憶装置は、ＲＡＭなどのメモリやハードディスクを用いるとよい。メモリは、システム起動時にハードディスク装置からＯＳやアプリケーションなどのプログラム処理プログラムや、処理に必要なデータをロードして記憶する。また、各種情報を記憶するために用いる。ハードディスク装置は、装置を制御するためのＯＳやアプリケーションプログラム、その他の必要なデータを格納するためのものである。 また、各種情報を記録するために用いる。記憶装置には、画像ファイルや画像ファイル表示用プログラムなどを格納する。
【００４２】
また、撮影画像確認装置２は、画像サーバ３にコンピュータネットワーク７などを介して接続する。
【００４３】
画像サーバ３は、画像ファイルを記録するとともに画像ファイルよりもファイルサイズが小さい評価用画像ファイルを作成し、評価用画像ファイルをウェブサーバ４へ送信し、画像評価装置５から受信した評価情報が可であれば、次工程へ画像ファイルを送信または次工程作業用画像ファイルを作成して送信し、評価情報が不可であれば、評価情報を撮影ディレクター確認装置６へ送信するものである。画像サーバ３としては、中央処理装置、記憶装置などから構成されるものを用いるとよい。記憶装置は中央処理装置に接続され、中央処理装置によってその動作が制御される。
【００４４】
中央処理装置は、ＣＰＵなどから構成するとよい。記憶装置は、ＲＡＭなどのメモリやハードディスクを用いるとよい。記憶装置には、画像ファイルや本発明のカタログ写真撮影プログラムの一部などを格納する。
【００４５】
また、画像サーバ３は、インターネットなどのコンピュータネットワーク７に接続する。
【００４６】
ウェブサーバ４は、評価用画像ファイルを記録し、評価用画像ファイルを利用して画像評価用画面を作成するものである。ウェブサーバ４としては、中央処理装置、記憶装置などから構成されるものを用いるとよい。記憶装置は中央処理装置に接続され、中央処理装置によってその動作が制御される。
【００４７】
中央処理装置は、ＣＰＵなどから構成するとよい。記憶装置は、ＲＡＭなどのメモリやハードディスクを用いるとよい。記憶装置には、評価用画像ファイルや本発明のカタログ写真撮影プログラムの一部などを格納する。
【００４８】
また、ウェブサーバ４は、インターネットなどのコンピュータネットワーク７に接続する。
【００４９】
画像評価装置５は、画像評価用画面を受信して表示し、顧客が入力した評価情報を画像サーバ３へ送信するものである。画像評価装置５としては、中央処理装置、入力装置、表示装置、記憶装置などから構成されるものを用いるとよい。入力装置、表示装置、記憶装置はそれぞれ中央処理装置に接続され、中央処理装置によってその動作が制御される。
【００５０】
中央処理装置は、ＣＰＵなどから構成するとよい。入力装置としては、キーボード、マウスやタッチパネルなどがある。特に、透明なタッチパネルを表示装置に重ねて構成すると、表示装置に表示された評価用画像ファイルの任意の箇所に評価者のコメントを書き込むことができるので好適である。表示装置は、画像評価用画面の表示に適したＣＲＴ、ＬＣＤなどを用いるとよい。
【００５１】
記憶装置は、ＲＡＭなどのメモリやハードディスクを用いるとよい。記憶装置には、画像評価用画面や本発明のカタログ写真撮影プログラムの一部などを格納する。
【００５２】
また、画像評価装置５は、インターネットなどのコンピュータネットワーク７に接続する。
【００５３】
撮影ディレクター確認装置６は、評価情報を受信して表示するものである。撮影ディレクター確認装置６としては、中央処理装置、入力装置、表示装置、記憶装置などから構成されるものを用いるとよい。入力装置、表示装置、記憶装置はそれぞれ中央処理装置に接続され、中央処理装置によってその動作が制御される。
【００５４】
中央処理装置は、ＣＰＵなどから構成するとよい。入力装置としては、キーボード、マウスなどがある。表示装置は、評価情報の表示に適したＣＲＴ、ＬＣＤなどを用いるとよい。記憶装置は、ＲＡＭなどのメモリやハードディスクを用いるとよい。
【００５５】
また、撮影ディレクター確認装置６は、インターネットなどのコンピュータネットワーク７に接続する。
【００５６】
なお、上記した構成のカタログ写真撮影システムにおいて、画像サーバ３がウェブサーバ４の機能を有するように構成してもよい。また、画像サーバ３が撮影画像確認装置２の機能を兼ねるように構成してもよい。また、画像サーバ３が撮影ディレクター確認装置６の機能を兼ねるように構成してもよい。また、複数の撮影画像確認装置２を画像サーバ３に接続するように構成してもよい。この場合、短時間で多数の写真撮影が可能になり、１人の撮影ディレクターが複数の撮影画像確認装置２で確認作業を行うことが可能である。
【００５７】
次に、本発明のカタログ写真撮影方法について説明する。
【００５８】
本発明のカタログ写真撮影方法は、撮影画像確認装置２が、デジタルカメラ１で撮影された画像ファイルを記録し、画像ファイルを表示装置に表示し、選択された画像ファイルを画像サーバ３へ送信し、次いで、画像サーバ３が、画像ファイルを記録するとともに画像ファイルよりもファイルサイズが小さい評価用画像ファイルを作成し、評価用画像ファイルをウェブサーバ４へ送信し、次いで、ウェブサーバ４が評価用画像ファイルを記録し、評価用画像ファイルを利用して画像評価用画面を作成して画像評価装置５へ送信し、次いで、画像評価装置５が、画像評価用画面を表示装置に表示し、顧客が入力した評価情報を画像サーバ３へ送信し、次いで、画像サーバ３が、評価情報が可であれば、次工程へ画像ファイルを送信または次工程作業用画像ファイルを作成して送信し、評価情報が不可であれば、評価情報を撮影ディレクター確認装置６へ送信する方法である。
【００５９】
図２〜３は、本発明のカタログ写真撮影プログラムの動作を示すフローチャートである。
【００６０】
まず、デジタルカメラ１で商品の撮影を行う。撮影によって得た画像ファイルは、ケーブル接続、メモリカード経由、無線ＬＡＮなどの手段で、撮影画像確認装置２へ転送され記録される（Ｓ１）。
【００６１】
撮影画像確認装置２は、その表示装置に各画像ファイルを表示する（Ｓ２）。
【００６２】
表示された画像ファイルについて、撮影ディレクターが画像ファイルを確認を行う。撮影ディレクターは、熟練したカメラマンが担当することが多い。必要とされる１画像につき数カットの撮影が行われるのが通常であるため、撮影ディレクターは複数の画像ファイルから最適と思われる１つの画像ファイルを選択することになる。また、撮影ディレクターが１つの画像ファイルに採用候補となるファイルを絞りきれない場合は、複数の画像ファイルを選択することになる。
【００６３】
画像ファイルの選択は、デジタルカメラメーカが供給する画像ファイル表示用プログラムを利用して行うことができる。通常、デジタルカメラメーカは、デジタルカメラ１によって作成される画像ファイルを表示したり画像処理を行ったりするためのプログラムを、デジタルカメラ１の機種ごとに開発し供給している。したがって、このような画像ファイル表示用プログラムを用い、複数の画像ファイルをそれぞれ検討した上で最適な１ファイルを特定する。特定する画像ファイルは、撮影時にデジタルカメラ１が自動的に付与したファイル名を、カタログの編集方針にしたがってあらかじめ設定したファイル名に変えて記録する。また、必要に応じて、カタログの編集方針にしたがってあらかじめ設定したファイル形式に変換する作業も同時に行う。画像ファイルの選択は、特定された画像ファイルが特定のディレクトリに記録されたことにより行われる。
【００６４】
また、画像ファイルの選択は、画像選択のためのプログラムを用いて行うようにしてもよい。画像選択のためのプログラムは、撮影画像確認装置２の表示装置に画像ファイルを表示し、撮影ディレクターが画像ファイルを確認して採用するかしないかを選択できるようにするものである。各画像ファイルの表示は、１画面１カットであっても、１画面多カットであってもよい。図４に１画面１カットの例を示す。図５に１画面多カットの例を示す。また、画像ファイルの表示画面において、画像ファイルの表示だけでなく、ホワイトバランスの調整やアンシャープマスク処理などの画像ファイルの修正や、ファイル名の変更などを行うことができるようにしてもよい。このようなプログラムを用いた場合、撮影ディレクターがＯＫボタンを選択することにより画像ファイルの選択が行われる。
【００６５】
画像ファイルの選択が行われると、画像ファイルが、撮影画像確認装置２から画像サーバ３へ送信される（Ｓ３）。
【００６６】
画像サーバ３は、画像ファイルを画像データベースに記録する（Ｓ４）。そのデータを図６に示す。ここでは、「ｂｕｎｇｕ００１」、「ｂｕｎｇｕ００２」、「ｂｕｎｇｕ００３」、・・・というファイル名の画像ファイルがそれぞれ記録されている例を示す。
【００６７】
次いで、画像サーバ３は、評価用画像ファイルを作成する（Ｓ５）。元となる画像ファイルは、カタログ印刷に用いるために必要とする画素数を有するものであるため、通常、５〜２０ＭＢ程度と非常に大きなファイルサイズを有するが、評価用画像ファイルは、後の工程において画像評価装置５の表示装置で表示されるのに足る画素数であれば十分であるため、ファイルサイズが元の画像ファイルよりも格段に小さいものとすることができ、コンピュータネットワーク７における通信にかかる負荷を小さくすることができる。評価用画像ファイルは、通常、２００〜４００ＫＢ程度であればよい。
【００６８】
また、色数を減らすことにより評価用画像ファイルのファイルサイズを小さくするようにしてもよい。また、ＪＰＥＧなどの画像圧縮フォーマットを採用することにより評価用画像ファイルのファイルサイズを小さくするようにしてもよい。また、ＺＩＰやＬＺＨなどのファイル圧縮フォーマットにより評価用画像ファイルのファイルサイズを小さくするようにしてもよい。この場合、画像評価装置５において評価用画像ファイルが自動的に解凍されるようにすれば便利である。また、パスワード設定などの手段により機密性を高めることも可能である。また、評価用画像ファイルのファイルサイズを小さくするために、これらの手段を併用してもよい。
【００６９】
次いで、画像サーバ３は、評価用画像ファイルをウェブサーバ４に送信する（Ｓ６）。ウェブサーバ４は評価用画像ファイルを記録する（Ｓ７）。
【００７０】
顧客側にある画像評価装置５は、インターネットなどを経由してウェブサーバ４に接続し、画像評価用画面を要求する（Ｓ１１）。
【００７１】
ウェブサーバ４は、評価用画像ファイルを利用して画像評価用画面を作成し、画像評価装置５へ送信する（Ｓ１２）。画像評価用画面は、顧客が評価用画像ファイルを閲覧して確認できるようにし、確認して採用するかしないかを評価した結果を記入できるようにしたものである。
【００７２】
画像評価用画面の具体例を次に示す。各画像ファイルの表示は、１画面１カットであっても、１画面多カットであってもよい。図７に１画面１カットの例を示す。図８に１画面多カットの例を示す。画像評価用画面には、顧客が評価結果である可（ＯＫ）または不可（ＮＧ）を指示できるよう、ＯＫボタンとＮＧボタンとを表示し選択できるようにするとよい。また、評価結果が不可の場合には、その理由を記入することができる記入欄を設けてもよい。また、顧客が評価を行わなければならない画像数と評価済の画像数などを付加情報として画面上に表示するようにしてもよい。
【００７３】
顧客は、画像ファイルを評価し、評価結果が可であればＯＫボタンを選択する。評価結果が不可であればその理由を記入するとともにＮＧボタンを選択する。ボタンの選択によって、評価情報が画像評価装置５から画像サーバ３へ送信される（Ｓ１３）。なお、ここでいう顧客情報とは、評価結果が可であれば少なくとも評価結果を含むものであり、評価結果が不可であれば少なくとも評価結果と理由とを含むものである。
【００７４】
画像サーバ３は、画像評価装置５から受信した評価情報を画像データベースに記録する（Ｓ１４）。そのデータを図９に示す。ここでは、「ｂｕｎｇｕ００１」に対する評価情報として結果「ＯＫ」が記録され、「ｂｕｎｇｕ００２」に対する評価情報として結果「ＯＫ」が記録され、、「ｂｕｎｇｕ００３」に対する評価情報として結果「ＮＧ」と理由「商品をもっと右に向けて構造がよくわかるようにしてください」が記録されている例を示す。
【００７５】
画像サーバ３は、評価結果が、可であるのか不可であるのかを判断する（Ｓ１５）。
【００７６】
評価結果が可ならば、画像サーバ３は、画像ファイルを次工程へ送信、または作業用画像ファイルを作成して次工程へ送信する（Ｓ１６）。次工程とは、画像ファイルを用いて行うカタログ制作のＤＴＰ作業や印刷製版フィルム作成作業などをいう。作業用画像ファイルとは、次工程で用いることができるファイルサイズの小さい画像ファイルをいう。画像サーバ３と次工程で使用する機器との接続が通信速度の遅いコンピュータネットワークである場合は、ファイルサイズの大きい画像ファイルを送信すると負荷が大きくなるため、作業用画像ファイルを送信し、さらに後の工程においてファイルサイズの大きい画像ファイルを利用するように構成するとよい。
【００７７】
評価結果が不可ならば、画像サーバ３は評価情報を撮影ディレクター確認装置６へ送信する（Ｓ１７）。評価情報は、電子メールや評価情報を含んだ画面として送信することができる。
【００７８】
撮影ディレクター確認装置６は、評価情報を受信し、その表示装置に表示する（Ｓ１８）。また、評価情報とともに評価用画像を表示するようにすると、どの画像に関する評価情報であるのかがより明確になる。図１０に受信した評価情報を表す画面の一実施例を示す。なお、撮影ディレクター確認装置６としては、携帯電話やＰＤＡなどを用いることもできる。
【００７９】
撮影ディレクターは、評価情報に基づき、再度、商品の撮影を行う。再度撮影を行った後は、先に撮影した場合と同様にして処理する。その際、画像評価用画面には、先に撮影した画像と後に撮影した画像の両方を示すようにしてもよい。
【００８０】
以上のようにして、カタログ写真の撮影工程が完了する。
【００８１】
なお、顧客による撮影の立会を従来どおり撮影スタジオで行い、その場で判断できない場合のみ、画像評価装置５を用いて評価を行うようにしてもよい。
【００８２】
また、評価結果が不可である場合、評価用画像ファイルの上に重ねて理由を書き込むようなインターフェイスとして指示画像ファイルを作成し、指示画像ファイルを評価情報として送信、あるいは指示画像ファイルを評価用画像ファイルと一体化して送信するように構成してもよい。また、評価結果は、音声や動画によるファイルを作成して送信するように構成してもよい。
【００８３】
また、撮影画像確認装置２、画像サーバ３、ウェブサーバ４、画像評価装置５、撮影ディレクター確認装置６の各装置間で画像ファイルなどの送受信を行う際、暗号化などの手段によってセキュリティを確保するように構成してもよい。
【００８４】
また、カタログの編集方針にしたがってあらかじめ設定された撮影すべき写真のうち、未撮影のものと撮影済のものとを判別できるような撮影リストを画像サーバ３が作成し、撮影ディレクター確認装置６などで確認できるようにしてもよい。
【００８５】
上記したように、本発明では、顧客がコンピュータネットワーク７を通じて商品写真の確認ができるようにしたので、顧客の撮影立会が不要になり、顧客側のすべての決裁者の確認を得ることが短時間でできるようになる。
【００８６】
また、画像サーバ３およびウェブサーバ４により顧客に対する画像評価用画面が自動的に作成され、顧客の評価情報が可である場合は次工程への処理が自動的に行われ、顧客の評価情報が付加である場合は撮影ディレクターに即座にフィードバックされるようにしたので、顧客の評価結果が可であることが確定した写真から逐次、次工程へ送ることができる。また、顧客の評価結果が不可であったとしても撮影スタジオ側で即座に知ることができるので、再撮影をすぐに行うことができる。
【００８７】
このように、撮影ディレクターによる画像ファイルの選択が終了したら、再撮影になるもの以外は本システムがすべて後処理を行うことになるため、撮影ディレクターは撮影作業に専念することができる。また、撮影ディレクターが選択した画像ファイルはそのまま画像データベースに蓄積されるため、画像ファイルの管理が容易になり、カタログの次号を発行する際、同一商品について同一の画像ファイルを利用する場合など二次的利用の場面でも画像データの再利用が容易である。したがって、総合的に撮影工程の時間短縮を図ることができ、カタログに掲載する商品の決定をカタログ発行時期により近づけることができる。
【００８８】
【発明の効果】
本発明は、上記した構成からなるので、次のような効果を有する。
【００８９】
本発明のカタログ写真撮影方法は、画像サーバが、画像ファイルを記録するとともに画像ファイルよりもファイルサイズが小さい評価用画像ファイルを作成し、評価用画像ファイルをウェブサーバへ送信し、次いで、ウェブサーバが、評価用画像ファイルを記録し、評価用画像ファイルを利用して画像評価用画面を作成して画像評価装置へ送信し、次いで、画像評価装置が、画像評価用画面を表示装置に表示し、顧客が入力した評価情報を画像サーバへ送信し、次いで、画像サーバが、評価情報が可であれば、次工程へ画像ファイルを送信または次工程作業用画像ファイルを作成して送信し、評価情報が不可であれば、評価情報を撮影ディレクター確認装置へ送信するように構成したので、顧客の確認を容易に得ることができ、カタログ写真撮影工程の時間短縮を図ることができる方法である。
【００９０】
本発明のカタログ写真撮影システムは、画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する画像サーバと、評価用画像ファイルを記録し、評価用画像ファイルを利用して画像評価用画面を作成するウェブサーバと、画像評価用画面を受信して表示し、顧客が入力した評価情報を画像サーバへ送信する画像評価装置とを少なくとも備えているように構成したので、このシステムを用いることにより顧客の確認を容易に得ることができ、カタログ写真撮影工程の時間短縮を図ることができる。
【００９１】
本発明のカタログ写真撮影プログラムは、画像サーバが、画像ファイルを記録するとともに画像ファイルよりもファイルサイズが小さい評価用画像ファイルを作成し、評価用画像ファイルをウェブサーバへ送信するステップと、ウェブサーバが、評価用画像ファイルを記録し、評価用画像ファイルを利用して画像評価用画面を作成して画像評価装置へ送信するステップと、画像評価装置が、画像評価用画面を表示装置に表示し、顧客が入力した評価情報を画像サーバへ送信するステップと、画像サーバが、評価情報が可であれば、次工程へ画像ファイルを送信または次工程作業用画像ファイルを作成して送信し、評価情報が不可であれば、評価情報を撮影ディレクター確認装置へ送信するステップとを少なくとも備えているように構成したので、顧客の確認を容易に得ることができ、カタログ写真撮影工程の時間短縮を図ることができる。
【００９２】
本発明のカタログ写真撮影システム用画像サーバは、画像ファイルを記録するとともに画像ファイルよりもファイルサイズが小さい評価用画像ファイルを作成し、評価用画像ファイルをウェブサーバへ送信し、画像評価装置から受信した評価情報が可であれば、次工程へ画像ファイルを送信または次工程作業用画像ファイルを作成して送信し、評価情報が不可であれば、評価情報を撮影ディレクター確認装置へ送信する機能を有するように構成したので、この画像サーバを用いることにより顧客の確認を容易に得ることができ、カタログ写真撮影工程の時間短縮を図ることができる。
【００９３】
本発明のカタログ写真撮影システム用画像評価装置は、画像ファイルよりもファイルサイズが小さい評価用画像ファイルを利用して作成された画像評価用画面を受信して表示し、評価結果が不可であれば撮影ディレクター確認装置へ送信されることとなる顧客が入力した評価情報を画像サーバへ送信する機能を有するように構成したので、この画像評価装置を用いることにより顧客の確認を容易に得ることができ、カタログ写真撮影工程の時間短縮を図ることができる。
【図面の簡単な説明】
【図１】本発明のカタログ写真撮影システムの概念の一実施例を示す模式図である。
【図２】本発明のカタログ写真撮影プログラムの動作を示すフローチャートである。
【図３】本発明のカタログ写真撮影プログラムの動作を示すフローチャートである。
【図４】本発明に用いられる撮影画像確認装置の表示装置に表示される画面の一実施例を示す平面図である。
【図５】本発明に用いられる撮影画像確認装置の表示装置に表示される画面の一実施例を示す平面図である。
【図６】本発明のカタログ写真撮影方法で用いられるデータの一実施例を示す概念図である。
【図７】本発明に用いられる画像評価装置の表示装置に表示される画像評価用画面の一実施例を示す平面図である。
【図８】本発明に用いられる画像評価装置の表示装置に表示される画像評価用画面の一実施例を示す平面図である。
【図９】本発明のカタログ写真撮影方法で用いられるデータの一実施例を示す概念図である。
【図１０】本発明の撮影ディレクター確認装置の表示装置に表示される画面の一実施例を示す平面図である。
【符号の説明】
１  デジタルカメラ
２  撮影画像確認装置
３  画像サーバ
４  ウェブサーバ
５  画像評価装置
６  撮影ディレクター確認装置
７  ネットワーク
【図１】
0003699069.tif 000002
【図２】
0003699069.tif 000003
【図３】
0003699069.tif 000004
【図４】
0003699069.tif 000005
【図５】
0003699069.tif 000006
【図６】
0003699069.tif 000007
【図７】
0003699069.tif 000008
【図８】
0003699069.tif 000009
【図９】
0003699069.tif 000010
【図１０】
0003699069.tif 000011